(57)【特許請求の範囲】
【請求項１】
浴槽及び／又は洗い場床を載置するフレーム本体と、
このフレーム本体を設置した状態で前記フレーム本体から下方に伸びて下端に挿入口が開口した筒状であり、内周面にねじを切って形成された雌ねじ部を有した脚受部と、
外周面にねじが切られており、前記雌ねじ部にねじ込まれながら前記挿入口から挿入されるボルト脚と、
を備えた浴室用床フレームであって、
前記脚受部は、下端部の内周面のみにねじを切って前記雌ねじ部を形成しており、前記下端部よりも外径及び内径が大きい円筒状の胴部をさらに有し、前記胴部の上端縁部が前記フレーム本体の下側面に接合されており、
前記フレーム本体は前記胴部の前記上端縁部に囲まれた前記下側面に前記脚受部内に挿入された前記ボルト脚が挿通する連通孔が貫設され空洞であるフレーム部材を利用して形成されており、
前記フレーム部材は、前記下側面を構成する下壁と、前記下壁の幅方向両側から立ち上がる一対の立壁と、前記下壁と対向するとともに前記一対の立壁同士を連結する上壁と、を有する角パイプであり、
前記連通孔の径は、前記上端縁部の内径より小さく、
前記上端縁部の外径は、前記下側面の幅寸法と同じであることを特徴とする浴室用床フレーム。
【請求項２】
前記フレーム本体は、洗い場床を載置する床載置部と、前記床載置部より一段低く形成された浴槽を載置する浴槽載置部とを有し、前記床載置部と前記浴槽載置部にそれぞれ前記脚受部が接合されており、
前記脚受部は、前記床載置部と前記浴槽載置部の段差近傍において前記床載置部側に接合されることを特徴とする請求項１に記載の浴室用床フレーム。
【発明の詳細な説明】
【技術分野】
【０００１】
本発明は浴室用床フレームに関するものである。
【背景技術】
【０００２】
特許文献１は従来の浴室用床フレームを開示している。この浴室用床フレームは、フレーム本体、脚受部、及びボルト脚を備えている。フレーム本体は角パイプで形成されている。このフレーム本体は浴槽及び洗い場床を載置する。脚受部は、フレーム本体が設置された状態でフレーム本体の複数個所から下方に伸びており、下端に挿入口が開口した筒状である。また、この脚受部は内周面にねじを切って形成した雌ねじ部を有している。ボルト脚は外周面にねじが切られている。このボルト脚は脚受部の挿入口から挿入して脚受部の雌ねじ部にねじ込まれる。
【０００３】
この浴室用床フレームは洗い場床の高さ（以下、「据付高さ」という。）が隣接する脱衣室の床面の高さとほぼ等しくなるように設置される。この際、この浴室用床フレームは、脚受部に対するボルト脚のねじ込み具合によって、浴室用床フレームの据付高さを調整することができる。
【先行技術文献】
【特許文献】
【０００４】
【特許文献１】特開２００５−６５９８０号公報
【発明の概要】
【発明が解決しようとする課題】
【０００５】
しかし、特許文献１の浴室用床フレームは、ボルト脚を挿入することができる挿入領域が脚受部の内部のみであるため、据付高さの調整範囲は脚受部内にボルト脚をねじ込むことができる範囲内のみである。このため、この浴室用床フレームは、一種類の長さのボルト脚で据付高さを調整することができる範囲が狭く、広範囲で据付高さを調整しようとすると、ボルト脚の下にスペーサーを配置する等して対応しなければならず、手間を要する。
【０００６】
本発明は、上記従来の実情に鑑みてなされたものであって、据付高さの調整を広範囲で容易に行うことができる浴室用床フレームを提供することを解決すべき課題としている。
【課題を解決するための手段】
【０００７】
本発明の浴室用床フレームは、浴槽及び／又は洗い場床を載置するフレーム本体と、
このフレーム本体を設置した状態で前記フレーム本体から下方に伸びて下端に挿入口が開口した筒状であり、内周面にねじを切って形成された雌ねじ部を有した脚受部と、
外周面にねじが切られており、前記雌ねじ部にねじ込まれながら前記挿入口から挿入されるボルト脚と、
を備えた浴室用床フレームであって、
前記脚受部は、下端部の内周面のみにねじを切って前記雌ねじ部を形成しており、前記下端部よりも外径及び内径が大きい円筒状の胴部をさらに有し、前記胴部の上端縁部が前記フレーム本体の下側面に接合されており、
前記フレーム本体は前記胴部の前記上端縁部に囲まれた前記下側面に前記脚受部内に挿入された前記ボルト脚が挿通する連通孔が貫設され空洞であるフレーム部材を利用して形成されていることを特徴とする。
【０００８】
この浴室用床フレームは、フレーム部材の下側面に脚受部内に挿入されたボルト脚が挿通する連通孔を貫設しているため、フレーム部材の内部にまで脚受部内に挿入されたボルト脚を挿入することができる。つまり、この浴室用床フレームは脚受部の内部とフレーム部材の内部とがボルト脚を挿入することができる挿入領域になっている。このため、この浴室用床フレームは、脚受部内の高さ寸法にフレーム部材内の高さ寸法を加えた範囲で据付高さを調整することができる。よって、この浴室用床フレームは、一種類の長さのボルト脚で対応することができる据付高さの範囲を広くすることができる。
【０００９】
したがって、本発明の浴室用床フレームは据付高さの調整を広範囲で容易に行うことができる。
【図面の簡単な説明】
【００１０】
【図１】実施例１の浴室用床フレームを利用して据付高さが２７５ｍｍ前後に施工されたユニットバスの断面図である。
【図２】実施例１の浴室用床フレームを利用して据付高さが５５０ｍｍ前後に施工されたユニットバスの断面図である。
【図３】実施例１の浴室用床フレームの脚受部が接合された部分を示す断面図である。
【図４】実施例１の浴室用床フレームの据付高さの調整範囲を示す図であって、（Ａ）は据付高さが５５０ｍｍ前後で調整する場合、（Ｂ）は据付高さが４７５ｍｍ前後で調整する場合、（Ｃ）は据付高さが３７５ｍｍ前後で調整する場合、（Ｄ）は据付高さが２７５ｍｍ前後で調整する場合である。
【発明を実施するための形態】
【００１１】
本発明における好ましい実施の形態を説明する。
【００１２】
本発明の浴室用床フレームの脚受部は下端部の内周面のみにねじを切って前記雌ねじ部を形成している。この場合、脚受部は、雌ねじ部が形成されて薄肉になる領域を少なくし、強度を確保することができる。また、本発明の浴室用床フレームのフレーム本体は、洗い場床を載置する床載置部と、前記床載置部より一段低く形成された浴槽を載置する浴槽載置部とを有し、前記床載置部と前記浴槽載置部にそれぞれ前記脚受部が接合され得る。
【００１３】
次に、本発明の浴室用床フレームを具体化した実施例１について、図面を参照しつつ説明する。
＜実施例１＞
実施例１の浴室用床フレームは、図１及び図２に示すように、浴槽１、浴槽用エプロン２、洗い場床３、壁４、及び天井（図示せず）等をユニット化したユニットバスを浴室用空間に設置する際に利用される。この浴室用床フレームは、フレーム本体１０、６個の脚受部３０、各脚受部３０に挿入された６本のボルト脚５０、及び各ボルト脚５０にねじ込まれた６個の緩み止めナット７０を備えている。
【００１４】
フレーム本体１０は、洗い場床３を載置する床載置部１０Ａと、浴槽１を載置する浴槽載置部１０Ｂとを有している。フレーム本体１０は床載置部１０Ａよりも浴槽載置部１０Ｂが一段低く形成されている。フレーム本体１０は角パイプ１１によって形成されている。フレーム本体１０の床載置部１０Ａは、浴槽載置部１０Ｂ側から平行に伸びる２本の角パイプ１１と、これら角パイプ１１の両端部に接合され、平行に伸びる２本の角パイプ１１によって四角枠形状に形成されている。また、フレーム本体１０の浴槽載置部１０Ｂは、フレーム本体１０の床載置部１０Ａの浴槽１側に位置する角パイプに一端部が接合され、平行に伸びる２本の角パイプ１１と、これら角パイプ１１の間を連結するように接合され、平行に伸びる２本の角パイプ(図示せず)によって形成されている。
【００１５】
脚受部３０は、フレーム本体１０の床載置部１０Ａを形成する角パイプ１１の４か所の下側面１１Ａに接合され、さらにフレーム本体１０の浴槽載置部１０Ｂを形成する角パイプ１１の２か所の下側面１１Ａに接合されている。各脚受部３０は、フレーム本体１０にかかる荷重を支持することができるようにフレーム本体１０の適切な場所に離れて接合されている。また、各脚受部３０は、フレーム本体１０を設置した状態で、角パイプ１１の下側面１１Ａから下方に伸びている。
【００１６】
各脚受部３０は、図３に示すように、下端に挿入口３１が開口した筒状である。この脚受部３０は上端縁部３３が角パイプ１１の下側面１１Ａに接合されている。この脚受部３０は、内周面にねじを切って形成された雌ねじ部３５Ａを有した円筒状の下端部３５と、下端部３５の上端に連続して上方に向かって外径及び内径が大きくなる中間部３７と、中間部３７の上端に連続して下端部３５よりも外径及び内径が大きい円筒状の胴部３９とを有している。
【００１７】
フレーム本体１０を形成する角パイプ１１は、脚受部３０の上端縁部３３に囲まれた下側面１１Ａに連通孔１３が貫設されている。この連通孔１３は脚受部３０内に挿入された後述するボルト脚５０のボルト本体部５１が挿通することができる大きさに開口している。このため、脚受部３０内に挿入されたボルト脚５０のボルト本体部５１を角パイプ１１内まで挿入させることができる。つまり、脚受部３０の内部と角パイプ１１の内部とがボルト脚５０を挿入することができる挿入領域になっている。
【００１８】
各ボルト脚５０はボルト本体部５１と頭部５３とを有している。ボルト本体部５１は外周面にねじが切られた円柱状である。ボルト本体部５１は、日本工業規格（ＪＩＳ）で定められたボルトの規格であるＭ２０のボルトのねじ部と同じ形状及び同じ寸法である。また、頭部５３は、ボルト本体部５１の一端部に形成されており、ボルト本体部５１の軸方向に直交する断面が六角形状である。この頭部５３は、日本工業規格（ＪＩＳ）で定められたボルトの規格であるＭ１６の頭部と同じ形状であり、同じ寸法である。各ボルト脚５０は、脚受部３０の挿入口３１からボルト本体部５１を雌ねじ部３５Ａにねじ込みながら挿入される。浴室用床フレームは各ボルト脚５０の頭部５３が設置面５に当接した状態で設置される。
【００１９】
各緩み止めナット７０は、ボルト脚５０の下方でボルト本体部５１にねじ込まれている。そして、これら緩み止めナット７０は、脚受部３０の雌ねじ部３５Ａにねじ込まれたボルト脚５０が緩まないように、回転させて脚受部３０の下方から脚受部３０の下端縁に当接されている。各緩み止めナット７０は、日本工業規格（ＪＩＳ）で定められた六角ナットの同じ外形であり、同じ外形寸法である。
【００２０】
このような構成を有する浴室用床フレームを有するユニットバスは、次に説明するように施工される。まず、浴室用床フレームの据付高さに応じて、各ボルト脚５０を各脚受部３０の雌ねじ部３５Ａにねじ込ませながら挿入する。そして、浴室用床フレームを設置面５に仮設置する。浴室用床フレームを設置面５に仮設置した状態で、洗い場床３の高さが隣接する脱衣室の床面の高さとほぼ等しくなるように、Ｍ１６用のスパナ等の工具を利用してボルト脚５０を回転させて据付高さを微調整する。そして、Ｍ１６用のスパナ等の工具を利用して、各緩み止めナット７０を回転させて脚受部３０の下方から脚受部３０の下端縁に当接させる。これによって、脚受部３０の雌ねじ部３５Ａにねじ込まれたボルト脚５０が緩まないようにすることができる。次に、浴槽１の排水口を排水管に連結しながら浴槽１を浴室用床フレームの浴槽載置部１０Ｂに載置して固定する。次に、洗い場床３の排水部を排水管に連結しながら浴室用床フレームの床載置部１０Ａに洗い場床３を載置して固定する。次に、浴槽用エプロン２を浴槽１に取り付ける。次に、浴槽１の上端縁部及び洗い場床３の縁部から壁４を立ち上げて固定する。次に、水洗金具や照明器具等を壁４に取り付ける。次に、壁４の上端縁に天井を載置して固定し、ユニットバスの施工を完了する（図１及び図２を参照）。
【００２１】
このようにユニットバスを施工する際、施工現場によって浴室用床フレームの据付高さは相違する。また、浴室をリフォームする際、浴室用床フレームの設置面５を掘り返して形成することがある。その場合、実際に掘り返し工事をしてみると、埋設された配管や建物の基礎が存在してそれ以上に掘り返すことができず予定した据付高さまで掘り返すことができない場合がある。
【００２２】
そこで、この浴室用床フレームは、図４（Ａ）〜（Ｄ）に示すように、長さが異なる４種類のボルト脚５０Ａ，５０Ｂ，５０Ｃ，５０Ｄを利用することによって、据付高さが２４０ｍｍ〜５９０ｍｍの範囲で対応可能にしている。つまり、この浴室用フレームは、４種類のボルト脚５０Ａ，５０Ｂ，５０Ｃ，５０Ｄを用意しておき、実際の据付高さに応じたボルト脚５０Ａ，５０Ｂ，５０Ｃ，５０Ｄを選択して利用することによって、浴室用フレームを適切に設置することができる。
【００２３】
より詳しく説明すると、この浴室用床フレームは、図４（Ａ）に示すように、３８０ｍｍの長さのボルト脚５０Ａを利用すると、脚受部３０の雌ねじ部３５Ａにねじ込みつつボルト脚５０Ａを脚受部３０に最も挿入しない状態（連結強度を確保するために必要最小限に挿入した状態）で据付高さを５９０ｍｍにすることができ、ボルト脚５０Ａを脚受部３０に最も挿入した状態で据付高さを５００ｍｍにすることができる。つまり、この浴室用床フレームは、３８０ｍｍの長さのボルト脚５０Ａを利用すると、据付高さが５００ｍｍ〜５９０ｍｍの範囲で対応することができる。このため、図２に示すように、浴室用床フレームの据付高さが高いユニットバスに適用することができる。この際、ボルト脚５０Ａのボルト本体部５１がＭ２０のボルトのねじ部と同じ外径寸法であるため、ボルト脚５０Ａの長さが長くても浴室用床フレームにかかる荷重によってボルト脚５０Ａが曲がることはない。
【００２４】
また、この浴室用床フレームは、図４（Ｂ）に示すように、２９０ｍｍの長さのボルト脚５０Ｂを利用すると、脚受部３０の雌ねじ部３５Ａにねじ込みつつボルト脚５０Ｂを脚受部３０に最も挿入しない状態（連結強度を確保するために必要最小限に挿入した状態）で据付高さを５００ｍｍにすることができ、ボルト脚５０Ｂを脚受部３０に最も挿入した状態で据付高さを４１０ｍｍにすることができる。つまり、この浴室用床フレームは、２９０ｍｍの長さのボルト脚５０Ｂを利用すると据付高さが４１０ｍｍ〜５００ｍｍの範囲で対応することができる。
【００２５】
また、この浴室用床フレームは、図４（Ｃ）に示すように、２００ｍｍの長さのボルト脚５０Ｃを利用すると、脚受部３０の雌ねじ部３５Ａにねじ込みつつボルト脚５０Ｃを脚受部３０に最も挿入しない状態（連結強度を確保するために必要最小限に挿入した状態）で据付高さを４１０ｍｍとすることができ、ボルト脚５０Ｃを脚受部３０に最も挿入した状態で据付高さを３２０ｍｍにすることができる。つまり、この浴室用床フレームは、２００ｍｍの長さのボルト脚５０Ｃを利用すると据付高さが３２０ｍｍ〜４１０ｍｍの範囲で対応することができる。
【００２６】
また、この浴室用床フレームは、図４（Ｄ）に示すように、１１０ｍｍの長さのボルト脚５０Ｄを利用すると、脚受部３０の雌ねじ部３５Ａにねじ込みつつボルト脚５０Ｄを脚受部３０に最も挿入しない状態（連結強度を確保するために必要最小限に挿入した状態）で据付高さを３２０ｍｍとすることができ、ボルト脚５０Ｄを脚受部３０に最も挿入した状態で据付高さを２４０ｍｍにすることができる。つまり、この浴室用床フレームは、１１０ｍｍの長さのボルト脚５０Ｄを利用すると据付高さが２４０ｍｍ〜３２０ｍｍの範囲で対応することができる。このため、図１に示すように、浴室用床フレームの据付高さが低いユニットバスに適用することができる。
【００２７】
このように、この浴室用床フレームは、フレーム本体１０、脚受部３０、ボルト脚５０を備えており、フレーム本体１０は脚受部３０の上端縁部３３に囲まれた下側面１１Ａに脚受部３０内の挿入されたボルト脚５０が挿通する連通孔１３が貫設された角パイプ１１を利用して形成されている。このため、この浴室用床フレームは、脚受部３０の内部と角パイプ１１の内部とがボルト脚５０を挿入することができる挿入領域になっている。このため、この浴室用床フレームは、脚受部３０内の高さ寸法に角パイプ１１内の高さ寸法を加えた範囲で据付高さを調整することができる。よって、この浴室用床フレームは、一種類の長さのボルト脚５０で対応することができる据付高さの範囲を広くすることができる。
【００２８】
したがって、実施例１の浴室用床フレームは据付高さの調整を広範囲で容易に行うことができる。
【００２９】
また、この浴室用床フレームは、長さが異なるボルト脚５０Ａ，５０Ｂ，５０Ｃ，５０Ｄを用意しておけば、ユニットバスの施工時に浴室用床フレームの据付高さが変更になった場合でも、その据付高さに応じた長さのボルト脚５０Ａ，５０Ｂ，５０Ｃ，５０Ｄを選択して利用することによって、容易に対応することができる。
【００３０】
また、この浴室用床フレームの脚受部３０は下端部３５の内周面のみにねじを切って雌ねじ部３５Ａを形成しているため、脚受部３０は、雌ねじ部３５Ａが形成されて薄肉になる領域を少なくして強度を確保している。
【００３１】
本発明は上記記述及び図面によって説明した実施例１に限定されるものではなく、例えば次のような実施例も本発明の技術的範囲に含まれる。
（１）実施例１では、フレーム部材を角パイプにしたが、フレーム本体を設置した状態で上下方向に所定高さ以上の空間が形成される空洞を有しているものであればよい。
（２）実施例１では、脚受部の下端部に雌ねじ部を形成したが、雌ねじ部のねじを切る部分は脚受部の内周面であれば下端部に限らない。
（３）実施例１では、４種類の長さを有するボルト脚を利用したが、４種類に限らず、複数種類の長さを有するボルト脚を利用してもよい。
（４）実施例１では、フレーム本体が床載置部と浴槽載置部と一体にしていたが、一方のみを載置するものであってもよい。また、洗い場床を載置するフレーム本体と浴槽を載置するフレーム本体を別体に形成してもよい。
（５）実施例１では、フレーム本体の６か所で脚受部を設けたが、フレーム本体にかかる荷重を適切に支持することができれば、フレーム本体の５か所以下、または７か所以上に脚受部を設けてもよい。
（６）実施例１では、４種類のボルト脚を利用することによって２４０ｍｍ〜５９０ｍｍの範囲の据付高さに対応可能にしたが、ボルト脚、脚受部、角パイプ（フレーム部材）の各種寸法を適宜設定してもよい。この場合、１種類のボルト脚で対応可能な範囲を変更することができるため、他の範囲の据付高さにも対応することができる。
【符号の説明】
【００３２】
１…浴槽
３…洗い場床
１０…フレーム本体
１１…角パイプ（フレーム部材）
１１Ａ…（角パイプの）下側面
１３…連通孔
３０…脚受部
３１…挿入口
３３…（脚受部の）上端縁部
３５…下端部
３５Ａ…雌ねじ部
５０（５０Ａ，５０Ｂ，５０Ｃ，５０Ｄ）…ボルト脚
【図１】
0006627118.tif 000002
【図２】
0006627118.tif 000003
【図３】
0006627118.tif 000004
【図４】
0006627118.tif 000005